(57)【要約】【課題】  飼育動物の排泄物を処理する際に排泄物処理材の廃棄にかかる手間をなくすとともに尿の廃棄時に外部にこぼさず簡単に廃棄され、排泄物処理材を使用しないので廃棄物を出さず、その購入費用が不要で経済的である。【解決手段】底が飼育動物を留まらせて排泄させることが出来て、尿を通すネット２１を備えた脱着可能な内部ケース２とそれを設置する底部を傾斜面としてその最深部１２に尿を集めることを特徴とした本体ケース１を組み合わせたものである。【選択図】図１
2016027794.tif 000002
【特許請求の範囲】
【請求項１】
底が飼育動物を留まらせて排泄させることが出来て、尿を通すネットとなっている脱着可能な内部ケースとそれを設置する本体ケースを組み合わせ、その本体ケースの底部を傾斜面としてその最深部に尿を集めることを特徴とした飼育動物の排泄物処理装置。
【請求項２】
前記本体ケースは内部ケースの下方に、その底部を傾斜面としてその最深部に尿を集める尿受けケースを別体に設け、かつ、この尿受けケースを引き出し可能とする開口部を本体ケースの対向側面に設けてなる請求項１記載の飼育動物の排泄物処理装置。
【発明の詳細な説明】
【技術分野】
【０００１】  この発明は、犬猫など飼育動物の尿、糞等の排泄物の処理装置に関する。
【背景技術】
【０００２】  従来の飼育動物の排泄物（尿、糞）の処理は、トイレ砂（粒状吸収体）や尿マット（尿吸収体）など排泄物処理材を使用しこれを取り換えるものがある。（例えば、特許文献１参照。）
【先行技術文献】
【特許文献】
【０００３】
【特許文献１】特開２０１２−１７５９１０号公報
【発明の概要】
【発明が解決しようとする課題】
【０００４】  上記のような従来の飼育動物の排泄物（尿、糞）の処理は、粒状吸収体などのトイレ砂や尿吸収マットなど、排泄物処理材を使用しこれを取り換えるものであった。また、従来の処理は、排泄物処理材を使用するので、その都度あるいは一定の期間ごとに排泄物処理材を交換し処分しなければならないので排泄物処理材の廃棄の手間を要することと排泄物処理材購入費用がかかり不経済であるという問題点があった。【０００５】  また、尿が排泄物処理材に収まらず排泄物処理材を設置しているトレーなどに漏れ出る場合もあり、漏れ出た尿を廃棄する時に外部にこぼれるという問題点があった。【０００６】  さらに排泄物処理材を使用することにより廃棄焼却しなければならないことから地球温暖化など自然環境に影響を与えるという問題点があった。【０００７】  本発明は飼育動物の排泄物を処理する際に排泄物処理材の廃棄にかかる手間をなくすとともに尿の廃棄時に外部にこぼさず簡単に廃棄すること、また、排泄物処理材を使用しないので廃棄物を出さないこと及び排泄物処理材購入費用が不要で経済的な排泄物処理装置を提供することをその目的とするものである。
【課題を解決するための手段】
【０００８】  そして、本発明は上記目的を達成するために、底に飼育動物を留まらせて排泄させることが出来て、尿を通すネットを備えた脱着可能な内部ケースとそれを設置する底部を傾斜面としてその最深部に尿を集めることを特徴とした本体ケースとを組み合わせてなるものである。【０００９】  さらに前記本体ケースは前記内部ケースとその下方に尿を集める尿受けケースを別体に設けて、この尿受けケースを引き出し可能とする開口部を本体ケースに設けてなるものである。【００１０】  この尿受けケースはその底部を傾斜面としてその最深部に尿を集めることを特徴としたものである。
【発明の効果】
【００１１】  上述したように本発明の飼育動物の排泄物処理装置は、排泄物処理材を使用しないため極めて経済的であり、動物の飼育を安価に実現することができる。【００１２】  また、排泄物処理材を使用しないことから廃棄物がでないため将来にわたる資源の節約でき、また、ＣＯ２など温暖化の抑制し自然環境の悪化を防ぐことができる。【００１３】  ケース本体と内部ケースの２つで構成されているので簡素であり、引出部分等があるような部品間を組み合わせる必要がなく簡便に使用できる。【００１４】  本体ケースの底部を傾斜させて最深部に深みをつけることで、取り扱う時に尿をこぼすことなく、また、溜まった尿が捨てやすくその扱いを簡単にすることができる。【００１５】  また、３つでの構成になるものの、この尿受けケースを本体ケースと別体として設け、かつ、内部ケースを引き出し可能とすることによって、内部ケースを取り外すことなく尿受け部分を取り出してより簡単に尿を捨てることができ、また尿受けケースは本体ケースより軽量になるので、より少ない力で尿を捨てることができる。
【図面の簡単な説明】
【００１６】
【図１】この発明の実施形態を示す排泄物処理装置の斜視図である。
【図２】側面から見た排泄物処理装置の断面図である。
【図３】本体ケースの斜視図である。
【図４】内部ケースの側面図である。
【図５】内部ケースの斜視図である。
【図６】第２形態の発明の実施形態を示す排泄物処理装置の断面図である。
【図７】第２形態の本体ケースの側面図である。
【図８】第２形態の本体ケースの斜視図である。
【図９】第２形態の尿受けケースの側面図である。
【図１０】第２形態の尿受けケースの斜視図である。
【発明を実施するための形態】
【００１７】  以下、この発明の実施形態を、図１〜図１０に基づいて示す。
【００１８】  本発明にかかる排泄物処理装置は図１及び図２に示すように、本体ケース１とこの本体ケース１に着脱可能に取り付けられる内部ケース２から形成されている。
【００１９】  本体ケース１は図３に示すように上面を開放状とした箱状体で形成され、その底部が浅い部分１１から深い部分である最深部１２へと傾斜面１３を形成しており、尿が最深部１２に集まるようになっている。
【００２０】  この傾斜は図２のように曲線状になっていて、最深部１２に一定の深さがある。ただし、傾斜面は例えば直線で形成するものであってもよい。
【００２１】  内部ケース２は本体ケース１に図１及び図２のように取り付けられ、内部ケース２は着脱可能となっている。本体ケース１及び内部ケース２の素材に制限はないが、プラスティックのような軽量で洗浄しやすい素材がより良い。
【００２２】  内部ケース２の底はネット２１になっている。このネット２１は尿を通過する仕切り層となっている。その仕切り層の通過するための穴の形状は格子型やひし形など網目状であったり等の尿を容易に通過させる形状であればよい。
【００２３】  内部ケース２には、脱着の際に持ちやすいように少し広めな取っ手部分２２がつけられている。
【００２４】  排泄された尿はネット２１を通して本体ケース１の底部の傾斜面１３をたどり図２のように最深部の尿貯め部１４に貯められる。溜まった尿は本体ケースの上部の角を通して捨てられる。排泄された糞はネット２１上に留まり、内部ケース２を取り出すことで簡単に廃棄される。そしてトイレ砂やマットなど排泄物処理材を使わないので掃除が簡単である。
【００２５】  第２形態として図６から図１０までに示す。
【００２６】  図６のように内部ケース２とその下方に尿を集める尿受けケース４を別体に設けて、この尿受けケース４を引き出し可能とする開口部３１を本体ケース３の対向側面に設けたものである。
【００２７】  この尿受けケース４は引き出して移動する際に尿がこぼれない程度に深さが必要である。
【００２８】  この尿受けケース４は図９及び図１０に示す通り、前記本体ケース１の底部と同様にその底部を浅い部分４１から傾斜面４３を通してその最深部４２に尿を集めるものである。
【００２９】  すなわち、その底部が浅い部分４１から深い部分である最深部４２へと傾斜面４３を形成しており、尿が最深部４２に集まるようになっている。
【００３０】  この傾斜４３は図９又は図１０のように曲線状になっていて、最深部４２に一定の深さがある。ただし、傾斜面は例えば直線で形成するものであってもよい。
【００３１】  本体ケース３は図８に示すように上面を開放状とした箱状体で形成され、その側面に尿受けケース４を引き出せる開口部３１が設けられている。
【００３２】  この場合の本体ケース３は、図７及び図８に示す通り本体ケース１とは異なり尿受けケース４を格納することが出来るように底部は平面になっている。
【００３３】  尿受けケース４には、引き出す際に引き出しやすいような取っ手部分４４がつけられている。
【００３４】  排泄された尿はネット２１を通して尿受けケース４の底部の傾斜面４３をたどり図６のように最深部の尿貯め部４５に貯められる。溜まった尿は尿受けケース４を取り出すことで簡単に廃棄される。そしてトイレ砂やマットなど排泄物処理材を使わないので掃除が簡単である。
【００３５】  飼育動物は必ずしもペット砂など排泄物処理材を使わなければ排泄をしないというわけではなく、この排泄物処理装置を用いることによってトイレ砂を使用せずに排泄をする習慣を容易につけさせることができる。
【００３６】  習慣をつけさせる方法は、始めは従来通りトイレ砂を入れるが、数日間かけて徐々に砂を減らしていく。そのペースはそれぞれの飼育動物の個体にもよるが、一週間から１０日間くらいで慣れ、ペット砂がなくても排泄をするようになる。その後はトイレ砂などの排泄物処理材は不要である。
【００３７】  節約される排泄物処理材は砂を利用すると一匹の場合一日におおよそ６００ｇ、一か月にすると１８ｋｇ、一年では２１６ｋｇとなる。そして尿マットも含めるとこの焼却される排泄物処理材の量は、全国的には膨大な量となる。この排泄物処理材を使わない排泄物処理装置は、廃棄物の減量につながりＣＯ２など温暖化の抑制しいては自然環境の保護につながる。
【符号の説明】
【００３８】１    本体ケース
１１  浅い部分
１２  最深部
１３  傾斜面
１４  尿貯め部
２    内部ケース
２１  ネット
２２  取っ手部分
３    第２形態の本体ケース
３１  尿受けケース取り出し開口部
４    尿受けケース
４１  浅い部分
４２  最深部
４３  傾斜面
４４  取っ手部分
４５  尿貯め部
【図１】
2016027794.tif 000003
【図２】
2016027794.tif 000004
【図３】
2016027794.tif 000005
【図４】
2016027794.tif 000006
【図５】
2016027794.tif 000007
【図６】
2016027794.tif 000008
【図７】
2016027794.tif 000009
【図８】
2016027794.tif 000010
【図９】
2016027794.tif 000011
【図１０】
2016027794.tif 000012